(57)【要約】【課題】  特に、座標信号の出力値の変動を利用して、スイッチ信号を生成することで、生産コストの低下と操作性を向上させること等が可能な入力装置を提供することを目的としている。【解決手段】  座標信号の出力値の変動を利用して、スイッチ信号を生成するものである。よって従来のように別個にスイッチ装置を設ける必要がなく生産コストの低下を実現できるとともに操作性も従来より向上させることが出来る。本発明では、例えば操作面７ａ上のどの位置を操作しても、単純に、座標信号の出力値の変動によって前記スイッチ信号の生成の可否を判断するから、スイッチ入力位置が決められている構造や、座標信号に基づく座標位置もスイッチ信号の生成の判断基準とするタッピング操作などに比べて操作性を向上させることが可能になる。【選択図】  図６
2006004216.tif 000002
【特許請求の範囲】
【請求項１】
表面に操作面を有する表面シートと、前記表面シートの下側に設けられた座標入力が可能な座標入力センサとを有する入力装置において、
制御部には、前記座標入力センサからの座標位置信号の出力値の変動を検出する出力変動検出手段と、前記出力値の変動に基づいて、スイッチ信号を生成するスイッチ信号生成手段とを有することを特徴とする入力装置。
【請求項２】
操作体によって前記座標入力センサを押圧したときの継続的な押圧力の変動に連動する前記出力値の継続的な変動に基づいて、スイッチ信号の生成の可否が判断される請求項１記載の入力装置。
【請求項３】
前記制御部では、所定時間Ｔ１内に、ある基準出力値から、前記出力値が所定の変化量Ｚ１以上に変動したとき、前記スイッチ信号生成手段によってスイッチ信号が生成される請求項１または２に記載の入力装置。
【請求項４】
前記制御部では、スイッチ入力状態にあるとき、前記出力値の前記基準出力値からの変化量Ｚ２が、前記変化量Ｚ１よりも小さくなったとき、前記スイッチ信号の生成が停止される請求項３記載の入力装置。
【請求項５】
スイッチ入力がされたことを知らせるフィードバック手段が設けられている請求項１ないし４のいずれかに記載の入力装置。
【請求項６】
前記座標入力センサは、静電容量式センサである請求項１ないし５のいずれかに記載の入力装置。
【発明の詳細な説明】
【技術分野】
【０００１】
本発明は、操作面上での操作体の当接点の平面座標（Ｘ座標とＹ座標）を入力することが可能な入力装置に係り、特に座標位置信号の出力値の変動を利用して、スイッチ信号を生成することが可能な入力装置に関する。
【背景技術】
【０００２】
下記特許文献１は、例えば携帯電話等の入力装置に関するものであり、特許文献１での入力装置では、静電容量型または感圧式の平面型入力装置７と、その表面に形成されたフェイスシート８と、スイッチ入力が可能なスイッチ装置９とを有して構成される。
【０００３】
特許文献１の入力装置では、一つの入力装置で、座標入力とスイッチ入力の双方を行なうことができるという利点がある。
【特許文献１】特開２００２−３５１６０６号公報
【発明の開示】
【発明が解決しようとする課題】
【０００４】
しかしながら、特許文献１のように、平面型座標入力装置７とは別個にスイッチ装置９を設ける構成であると余分にスイッチ装置９が必要になるため生産コストが向上するといった問題点があった。
【０００５】
また特に、携帯電話等の小型電子機器のように、入力装置自体の大きさが小さいものであると、前記平面型座標入力装置７の下側に設置されるスイッチ装置９に所定数のスイッチ素子を配置することが難しくなる。
【０００６】
また入力装置の小型化により、複数あるスイッチ素子を同時に押圧してしまう可能性も高まり、正常なスイッチ信号を出力できない等の不具合も発生しやすい。
【０００７】
さらにスイッチ装置９に設けられたスイッチ素子上を押圧しないとスイッチ信号が出力されないため、すなわちスイッチ素子以外の領域を押圧してもスイッチ信号は出力されないため、良好な操作性を得られないといった不具合もあった。
【０００８】
一方、例えば所定のタッピング操作によって、スイッチ信号を出力させる方法もある。例えばダブルタップ（double  tap）を行なうとスイッチ信号が出力される等である。
【０００９】
しかしタッピング操作は、通常、タッピングの時間間隔とタッピングする座標位置とに基づいて、どのような操作が行なわれたかを判断するため、操作者の癖などによって誤操作が生じやすく、さほど操作性のよいものではなかった。
【００１０】
そこで本発明は上記従来の課題を解決するためのものであり、特に、座標位置信号の出力値の変動を利用して、スイッチ信号を生成することで、生産コストの低下と操作性を向上させること等が可能な入力装置を提供することを目的としている。
【課題を解決するための手段】
【００１１】
本発明は、
表面に操作面を有する表面シートと、前記表面シートの下側に設けられた座標入力が可能な座標入力センサとを有する入力装置において、
制御部には、前記座標入力センサからの座標位置信号の出力値の変動を検出する出力変動検出手段と、前記出力値の変動に基づいて、スイッチ信号を生成するスイッチ信号生成手段とを有することを特徴とするものである。
【００１２】
上記のように本発明では、座標位置信号の出力値の変動を利用して、スイッチ信号を生成するものであるから、従来のように別個にスイッチ装置を設ける必要がなく生産コストの低下を実現できるとともに操作性も従来より向上させることが出来る。
【００１３】
操作性に関しては、特に本発明では、前記座標位置信号の出力値の変動を利用して、スイッチ信号を生成するため、例えば操作面上のどの位置を操作しても、単純に、座標位置信号の出力値の変動によって前記スイッチ信号の生成の可否を判断するから、スイッチ入力位置が決められている特許文献１や、座標位置信号もスイッチ信号の生成の判断基準とするタッピング操作などに比べて操作性を向上させることが可能になる。
【００１４】
また本発明では、入力装置が小型化されても、適切にスイッチ信号の生成を行なうことが可能である。
【００１５】
本発明では、操作体によって前記座標入力センサを押圧したときの継続的な押圧力の変動に連動する前記出力値の継続的な変動に基づいて、スイッチ信号の生成の可否が判断されることが好ましい。これにより、より効果的に操作性を向上させることが出来る。
【００１６】
また本発明では、前記制御部では、所定時間Ｔ１内に、ある基準出力値から、前記出力値が所定の変化量Ｚ１以上に変動したとき、前記スイッチ信号生成手段によってスイッチ信号が生成されることが好ましい。
【００１７】
上記のように、スイッチ信号の生成の可否を、所定時間Ｔ１内における出力値の変化量Ｚ１で判断することで、誤操作やスイッチ入力の意識のない操作時にスイッチ信号が生成されるのを抑制することが可能である。
【００１８】
また本発明では、前記制御部では、スイッチ入力状態にあるとき、前記出力値の前記基準出力値からの変化量Ｚ２が、前記変化量Ｚ１よりも小さくなったとき、前記スイッチ信号の生成が停止されることが好ましい。これにより、スイッチ入力状態にあるときに、若干、前記出力値が低下しても、適切にスイッチ入力状態を確保することが出来る。
【００１９】
また本発明では、スイッチ入力がされたことを知らせるフィードバック手段が設けられていることが好ましい。
【００２０】
なお本発明では、前記座標入力センサは、静電容量式センサであることが好ましい。
【発明の効果】
【００２１】
本発明では、座標位置信号の出力値の変動を利用して、スイッチ信号を生成するものであるから、従来のように別個にスイッチ装置を設ける必要がなく生産コストの低下を実現できるとともに操作性も従来より向上させることが出来る。
【００２２】
操作性に関しては、特に本発明では、前記座標位置信号の出力値の変動を利用して、スイッチ信号を生成するため、例えば操作面上のどの位置を操作しても、単純に、座標位置信号の出力値の変動によって前記スイッチ信号の生成の可否を判断するから、スイッチ入力位置が決められている特許文献１や、座標位置信号もスイッチ信号の生成の判断基準とするタッピング操作などに比べて操作性を向上させることが可能になる。
【発明を実施するための最良の形態】
【００２３】
図１は本発明の入力装置を搭載した携帯電話の部分斜視図、図２は図１に示す入力装置を２−２線から切断し、その切断面を矢印方向から見た部分断面図、図３は、入力装置を押圧したときの状態図（部分断面図）、図４は本発明における入力装置のブロック図、図５はＸ座標信号の検出手法の一例を示すＸ軸信号の出力波形図、図６は、本発明におけるスイッチオン状態とスイッチオフ状態とのタイミングを説明するための出力値の出力波形図、図７は、特にフィードバック機能を説明するための説明図、である。
【００２４】
図１に示す携帯電話１は、ケース２に表示手段としての表示パネル３と入力装置Ｓが搭載されている。表示パネル３はモノクロ型やカラー型の液晶パネルまたはＥＬパネルからなる。
【００２５】
前記入力装置Ｓは、情報の入力に用いるためのものであり、本実施形態の入力装置Ｓは、表面シート７と座標入力センサ４とを有して構成されている。
【００２６】
図１及び図２に示すに示す表面シート７はＰＥＴなどの樹脂製のシートあるいはシリコンラバーなどで形成され、その表面（操作面７ａ）には文字、数字や記号などの複数の個別の入力箇所を示す指示表示８が印刷工程または転写工程で形成されている。またそれぞれの指示表示８では、入力箇所を示す円形の枠が形成され、その枠内に、文字、数字または記号などが印刷または転写されている。
【００２７】
前記表面シート７は、前記指示表示８の部分が凸形状となるように凹凸状に変形させられたものであってもよいし、または表面シート７の表面にラバーなどで形成された凸体が固着され、この凸体の表面に前記文字、数字または記号などが印刷または転写されたものであってもよい。
【００２８】
図２に示す座標入力センサ４は、例えば静電容量型センサであり、座標入力が可能とされたものである。静電容量型センサとしては、Ａｇ（銀）系ペーストで形成されたＸ方向検出電極とＹ方向検出電極とが、絶縁性を有し且つ所定の誘電率を有するＰＥＴ（ポリエチレンテレフタレート）などで形成された樹脂シート９の上下にマトリックス状に対向させられている。
【００２９】
そして樹脂シート９を導電パターンが形成された基板上に配置し、前記各電極を前記基板に形成された導電パターンに接続するように構成されている。これにより、前記操作面７ａ上等に指などの誘電体が触れることで、触れた位置においてＸ方向検出電極とＹ方向検出電極との間の静電容量が変化し、その結果、Ｘ−Ｙ座標での入力が可能になっている。
【００３０】
なお本発明における座標入力センサ４は感圧式センサであってもよいが、指等の操作体が前記操作面７ａ上を下方向へ押圧したときによる出力変化を大きくし、特に後述するスイッチ入力の判断を高精度に行なうには、前記座標入力センサ４は静電容量型センサであることが好ましい。
【００３１】
図４に示すように、前記入力装置Ｓには制御部２０が設けられている。制御部２０には、座標入力センサ４が接続され、前記座標入力センサ４からの座標信号が取り込まれる。
【００３２】
前記制御部２０には、Ｘ座標生成部２１，Ｙ座標生成部２２，出力変動検出部２３及びスイッチ信号生成部２４がそれぞれ設けられている。
【００３３】
図４に示すように、前記制御部２０には、携帯電話１の本体側に設けられた送信部２６，受信部２７，記憶部２９及び表示パネル３がそれぞれ接続されている。
前記送信部２６と受信部２７では、外部と音声信号やデータ信号の送受信が行われる。
【００３４】
前記記憶部２９では、電話番号データ、各種設定データおよび表示パネル３に表示させる表示データなどが記憶されている。
【００３５】
Ｘ座標位置とＹ座標位置の検出方法について図５を用いて説明する。なお図５に示す検出方法はあくまで一例であり、本発明は他の手法で前記Ｘ座標位置とＹ座標位置を検出することを否定するものではない。
【００３６】
本発明における入力装置Ｓでは、Ｘ方向での静電容量の変化量のピーク位置Ｐｘと、Ｙ方向での静電容量の変化量のピーク位置Ｐｙが時分割で交互に検出される。
【００３７】
全てのＸ電極（Ｘ１…Ｘｎ）とＹ電極（Ｙ１…Ｙｎ）の間に所定の電位の電界が与えられた状態で、表面シート７の上から指やペンなどが触れると、その触れた位置においてＸ方向検出電極とＹ方向検出電極との間の静電容量が変化する。
【００３８】
Ｘ座標位置信号を得るときには、Ｘ方向検出電極が２本ずつ選択され、Ｘ方向検出電極とＹ方向検出電極との間での静電容量の変化に対応する検出出力が２本ずつ順に検出される。
【００３９】
静電容量の変化に対応する検出出力が２本のＸ方向検出電極から得られると、次に、図４に示す制御部２０のＸ座標生成部２１では、２本の電極間での検出出力の差が求められる。この差動出力は図５の下段に示されている。
【００４０】
図５に示す横軸は、検出点であり、検出点Ｎ１では、Ｘ方向検出電極のＸ２の検出出力とＸ１の検出出力との差動出力２５ａが得られ、検出点Ｎ２では、Ｘ３の検出出力とＸ２の検出出力との差動出力２５ｂが得られる。
【００４１】
次に図４に示す制御部２０のＸ座標生成部２１では、各検出点Ｎｉでの前記差動出力２５ａ，２５ｂ，２５ｃ…が順次積算されていく。図５の上段には、各検出点Ｎ１，Ｎ２，Ｎ３…で検出された前記差動出力２５ａ，２５ｂ…を順次積算した積算出力２８が示されている。図５では各検出点Ｎ１，Ｎ２，Ｎ３…に対応する、積算出力を２８ａ，２８ｂ，２８ｃ…で示している。前記積算出力２８ａ，２８ｂ，２８ｃ…はＸ座標生成部２１にて監視され、前記Ｘ座標生成部２１にて特定のアルゴリズムを用いて各積算出力の最大値を得る検出点（ピーク位置Ｐｘ）が得られるとともに、前記ピーク位置Ｐｘから操作体の操作面７ａ上での当接位置（Ｘ座標位置）が特定される。
【００４２】
Ｙ座標位置信号も、図４に示す制御部２０のＹ座標生成部２２で、上記したＸ座標信号のピーク位置Ｐｘを得るときと同様の手法を用いて求められ、ピーク位置Ｐｙから操作体の操作面７ａ上での当接位置（Ｙ座標位置）が特定される。
【００４３】
次に本発明の特徴的部分を特に図３及び図６を用いて以下に説明する。
図３に示すように、指等の操作体Ｆを操作面７ａ上に当接し、今、前記操作面７ａを矢印方向へ押圧したとき、前記操作体Ｆの押圧位置が変化しなければ、前記Ｘ座標生成部２１及びＹ座標生成部２２で得られる操作体ＦのＸ，Ｙ座標位置信号に変動はない。Ｘ，Ｙ座標位置信号は、図５で説明した通り、出力値のピーク位置Ｐｘ，Ｐｙでの位置信号で特定される。なお以下では、「出力値」と言う場合は、ピーク位置Ｐｘ，Ｐｙでの出力値を指す。
【００４４】
ところで、前記操作体Ｆを矢印方向へ押圧することで静電容量は変化し、Ｘ座標生成部２１で得られたＸ座標位置信号の出力値、及びＹ座標生成部２２で得られたＹ座標位置信号の出力値は変動する。
【００４５】
本発明では、前記Ｘ座標位置信号及び／又はＹ座標位置信号の出力値は、随時、出力変動検出部２３に送り込まれる。ここで、前記出力変動検出部２３には、少なくとも前記Ｘ座標位置信号か、Ｙ座標位置信号の出力値のどちらか一方の出力値が送り込まれればよい。以下では、Ｘ座標位置信号の出力値のみが、出力変動検出部２３に送り込まれると仮定する。
【００４６】
前記出力変動検出部２３では、随時送られてくるＸ座標位置信号の出力値を、検出された時間ごとにプロットしていき、図６に示すような出力値の出力波形図を得る。
【００４７】
図６に示す時間Ｔ０は、前記出力値が前記出力変動検出部２３に送り込まれた最初の出力値であり、この出力値を「基準出力値」とする。
【００４８】
前記出力変動検出部２３では、前記時間Ｔ０後に前記出力変動検出部２３に送り込まれる前記出力値を、前記基準出力値からの変化量として捉え、図６のように出力値の変化量をプロットしていく。
【００４９】
図６に示すように時間Ｔ０から時間ＴＡまでの間は、前記出力値に変動がないが、時間ＴＡ後に、操作者が操作体Ｆの図３に示す矢印方向への押圧力を強めると、出力値は基準出力値から変動し変化量Ｚが大きくなる。
【００５０】
前記出力変動検出部２３では、前記出力値の変化量Ｚが基準出力値からＺ１まで変動するまでに、どの程度の時間がかかったかを監視しており、所定時間Ｔ１内で出力値の変化量ＺがＺ１以上変動したら、前記出力変動検出部２３から図４に示すスイッチ信号生成部２４へ、スイッチ信号を生成せよとする命令信号が出され、前記スイッチ信号生成部２４にてスイッチ信号が生成される。
【００５１】
図６に示すように、操作者は指等の操作体Ｆを座標入力センサ方向へさらに強い押圧力で押すと、基準出力値からの出力値の変化量ＺはＺ１よりも大きいＺ０に至る。
【００５２】
図６に示すように、時間ＴＢ後に、操作者が指等の操作体Ｆを前記座標入力センサから徐々に離していくと、出力値は、前記基準出力値から見て徐々に小さくなっていき、ある出力値Ｚ２以下になったら、スイッチ信号の生成を停止せよとする命令信号が前記出力変動検出部２３からスイッチ信号生成部２４に送られ、スイッチ信号の生成が停止される。
【００５３】
なお図６では、「基準出力値」を前記出力値が前記出力変動検出部２３に送り込まれた最初の出力値として規定していたが、「基準出力値」を、更新していくことも出来る。
【００５４】
例えば図６では、時間Ｔｏから時間ＴＡまでの間は出力値に全く変動がないが、実際には、図６に示す一点鎖線Ａのように、出力値が検出される都度、若干の変動が見込まれる。このとき、所定時間Ｔ１経過するごとに、検出された出力値を「基準出力値」として更新していき、図６に示す時間ＴＡと一点鎖線Ａとが交差する出力値を「基準出力値」とし、新しい（更新された）「基準出力値」からの出力値の変化量Ｚでスイッチ信号の生成の可否を判断するように制御してもよい。
【００５５】
上記のように本発明では、座標位置信号の出力値の変動を利用して、スイッチ信号を生成するものである。
【００５６】
このため、従来のように別個にスイッチ装置を設ける必要がなく生産コストの低下を実現できるとともに操作性も従来より向上させることが出来る。
【００５７】
操作性に関し詳しく説明すると、本発明では、前記座標位置信号の出力値の変動を利用して、スイッチ信号を生成するため、操作面７ａ上のどの位置を操作しても、出力変動検出部２３では、単純に、座標位置信号の出力値の変動によって前記スイッチ信号の生成の可否を判断できる。
【００５８】
すなわち、例えば図３のように、操作面７ａ上の同じ位置上を操作体Ｆで押圧する場合でも、あるいは操作体Ｆを操作面７ａ上で滑らせながら押圧しても、図６のように、出力値の変化量Ｚがある所定条件下を満たしたら、スイッチ信号が生成されるから、スイッチ入力位置が予め決められている構造や、座標位置信号もスイッチ信号の生成の判断基準とするタッピング操作などに比べて操作性を向上させることが可能になる。
【００５９】
また本発明の実施形態では、操作体Ｆによって前記座標入力センサ４を押圧したときの継続的な押圧力の変動に連動する前記出力値の継続的な変動に基づいて、スイッチ信号の生成の可否が判断される。
【００６０】
すなわち、図３のように、操作体Ｆによって操作面７ａ上を継続的に押圧しないと、スイッチ入力状態が得られないため、操作者としては、操作面７ａ上を押圧しなければ位置入力だけ、操作面７ａ上を押圧すればスイッチ入力がされると意識的に区別しながら操作面７ａ上を操作でき、操作性を向上させることが可能である。
【００６１】
特に本発明では、図６で説明したように、前記制御部２０の出力変動検出部２３では、所定時間Ｔ１内に、基準出力値から、出力値が所定の変化量Ｚ１以上に変動したとき、前記スイッチ信号生成部２４によってスイッチ信号が生成されるように制御されている。
【００６２】
スイッチ信号の生成がされない基準出力値は、操作者の操作体Ｆの操作面７ａ上での当接力によって異なる。すなわち最初の操作体Ｆの操作面７ａへの当接力が強い人もいれば弱い人もおり、基準出力値は人によってばらばらである。
【００６３】
例えば出力値の絶対値でスイッチ入力の可否を判断すると、スイッチ入力をする意識がなくても最初から強く操作面７ａ上を操作体Ｆで押圧すれば、スイッチ入力状態となる可能性があるなど、不具合が多い。
【００６４】
このため出力値の絶対値でスイッチ入力の可否を判断するよりも、出力値の基準出力値から見た変化量Ｚで、スイッチ入力の可否を判断する方が、誤操作等を防止できる。
【００６５】
また本発明では、所定時間Ｔ１内に、基準出力値から、出力値が所定の変化量Ｚ１以上に変動したときに限ってスイッチ信号を生成する。すなわち出力値が変化量Ｚ１以上に変動しても所定時間Ｔ１内でなければスイッチ信号は生成されない。例えば、人によっては、スイッチ入力をしようとする意識がないのに操作面７ａ上を操作しているときの前記操作体Ｆの押圧力が徐々に強くなっていく場合がある。かかる場合、変化量Ｚ１に至る時間を区切っていないと、図６に示す出力値の変化量ＺがＺ１を越えれば、スイッチ入力状態になってしまい、不都合が多くなる。このため、所定時間Ｔ１内に、基準出力値から、出力値が所定の変化量Ｚ１以上に変動したときに限ってスイッチ信号を生成するようにすれば、操作性を向上させることが可能である。
【００６６】
ところで、スイッチ信号の生成を停止する出力値の変化量Ｚ２をどの程度の大きさに制御するかであるが、本発明では、スイッチ信号の生成を開始する出力値の変化量Ｚ１よりも、所定変化量Ｚ３だけ小さい変化量Ｚ２以下になった時点でスイッチ信号の生成を停止することが好ましい。
【００６７】
これは、例えば操作者が操作体Ｆを座標入力センサ方向に強く押し、スイッチ入力をしているつもりでも、無意識に操作体Ｆの押圧力を緩めたりして、出力値の変化量がＺ１よりも低いレベルに落ちる可能性がある。特にスイッチ入力を長い時間、行なう必要があるときなどは、操作者が無意識に操作体Ｆの押圧力を緩める可能性が高い。このとき、操作者がスイッチ入力をしていると思っていても、スイッチ入力がされないといった事態が生じ、良好な操作性を得られない。
【００６８】
そこで本発明では、スイッチ信号の生成を開始する出力値の変化量Ｚ１よりも、所定変化量Ｚ３だけ小さい変化量Ｚ２以下になった時点でスイッチ信号の生成を停止することで、操作者が操作体Ｆの押圧力を無意識に緩めても、スイッチ入力が停止されることはなく、操作性を優れたものにすることが出来る。
【００６９】
また本発明では、スイッチ入力がされたことを操作者に知らせるためのフィードバック手段が設けられていることが好ましい。前記フィードバック手段に関し本発明では例えば以下の２つの手法を提供することが出来る。
【００７０】
まず一つ目はメカニカル的なフィードバック手段であり、例えば図２に示すように、前記座標入力センサ４の下側にある基板１９上に、ドーム状（ダイアフラム状）の可動板１０を設ける。前記可動板１０は金属材料でも絶縁材料でもどちらでもよい。
【００７１】
図３に示すように、操作体Ｆが矢印方向へ前記表面シート７及び座標入力センサ４を押圧し、前記可動板１０が下方向へ反転させられると前記可動板１０からは押圧反力が発生する。この押圧反力がクリック感として操作者の指等に伝えられ、前記操作者に確実に押したという認識が与えられる。
【００７２】
あるいは、図７のように視覚的なフィードバック手段を用いることも出来る。
図７では、入力装置Ｓは例えばリモコンであり、前記入力装置Ｓからの遠隔操作により、モニタ３０の画面に写し出された画像を変えることができるとする。図７に示すように、入力装置Ｓの操作面上にある全部で１５個の指示表示８と、同じ配置でモニタ３０に１５個のアイコン３１が映し出されており、今、「♯」のマークがある指示表示８を押圧して、この「♯」の指示表示８と同じ配置にあるモニタ３０上のアイコン３１ａを指定する場合に、「♯」の指示表示８を押圧して、前記入力装置Ｓからスイッチ信号が出力されたら、前記アイコン３１ａが他のアイコンと違う色に変化するなどして、前記アイコン３１ａが指定されたことを視覚的に操作者に認識させることが可能である。
【００７３】
あるいは聴覚的なフィードバック手段を用い、操作者にスイッチ入力がされたことを知らせる手法であってもよい。
【図面の簡単な説明】
【００７４】
【図１】本発明の入力装置を搭載した携帯電話の部分斜視図、
【図２】図１に示す入力装置を２−２線から切断し、その切断面を矢印方向から見た部分断面図、
【図３】入力装置を押圧したときの状態図（部分断面図）、
【図４】本発明における入力装置のブロック図、
【図５】Ｘ座標信号の検出手法の一例を示すＸ軸信号の出力波形図、
【図６】本発明におけるスイッチオン状態とスイッチオフ状態とのタイミングを説明するための出力値の出力波形図、
【図７】フィードバック機能を説明するための説明図、
【符号の説明】
【００７５】
１  携帯電話
３  表示パネル
４  座標入力センサ
７  表面シート
８  指示表示
１０  可動板
２０  制御部
２１  Ｘ座標生成部
２２  Ｙ座標生成部
２３  出力変動検出部
２４  スイッチ信号生成部
２５  差動出力
２８  積算出力
３０  モニタ
３１  アイコン
Ｆ  操作体
Ｓ  入力装置
Ｚ  出力値の変化量
【図１】
2006004216.tif 000003
【図２】
2006004216.tif 000004
【図３】
2006004216.tif 000005
【図４】
2006004216.tif 000006
【図５】
2006004216.tif 000007
【図６】
2006004216.tif 000008
【図７】
2006004216.tif 000009